(57)【特許請求の範囲】
【請求項１】
電線と、
前記電線に巻かれた保護シートと、
前記保護シートの表面に形成された粘着層と、
前記電線及び前記保護シートに巻き付けられて前記保護シートを前記電線に留める粘着テープと、を備えるワイヤハーネスであって、
前記保護シートには、前記電線の束の外周面に沿う筒状に巻かれた筒状部を含む第一領域と前記第一領域に連なった残りの領域であり前記筒状部の外周面側に重なった第二領域との境界位置における少なくとも前記電線の長手方向の一端から切れ込みが形成されており、
前記粘着テープは、前記保護シートの前記切れ込み内を通り、前記保護シートにおける前記第二領域の内側において前記第一領域及び前記電線の束に巻き付けられており、
前記粘着層は、少なくとも前記保護シートの前記第二領域における前記電線の長手方向に沿う縁部と該縁部の内側に重なった部分とを接着している、ワイヤハーネス。
【請求項２】
請求項１に記載のワイヤハーネスであって、
前記電線は、
前記保護シートにおける前記筒状部内を貫通する第一電線と、
前記保護シートにおける前記筒状部と前記第二領域との間を貫通する第二電線と、を含む、ワイヤハーネス。
【請求項３】
請求項１又は請求項２に記載のワイヤハーネスであって、
前記保護シートは、
それぞれ前記電線の長手方向に沿う第一縁部及びその反対側の第二縁部の間の一部を成す中間領域であり前記電線の束の外周面に沿う筒状に巻かれた前記筒状部と、
前記中間領域に連なる残りの部分であり、前記中間領域よりも前記第一縁部側の第一片側領域全体と前記中間領域よりも前記第二縁部側の第二片側領域における少なくとも一部の領域とが重なった部分である二重部を含み、少なくとも前記電線の長手方向の一端から前記切れ込みが形成され、前記筒状部の外周面側に重なった外側重ね部と、を有し、
前記粘着テープは、前記保護シートの前記切れ込み内を通り、前記保護シートにおける前記筒状部から前記外側重ね部の一部に亘る部分及び前記電線の束に巻き付けられている、ワイヤハーネス。
【請求項４】
請求項３に記載のワイヤハーネスであって、
前記粘着層は、
前記保護シートの前記二重部における前記第一縁部と前記第一縁部に重なった部分とを接着している第一粘着層と、
前記保護シートにおける前記第二縁部と前記第二縁部の内側に重なった部分とを接着している第二粘着層と、を含む、ワイヤハーネス。
【請求項５】
請求項３又は請求項４に記載のワイヤハーネスであって、
前記保護シートの前記二重部は、前記第一片側領域全体と前記第二片側領域における前記中間領域側の一部の領域とが重なった部分であり、
前記保護シートの前記切れ込みは、前記二重部よりも前記第二縁部側の領域に前記二重部に沿って形成されている、ワイヤハーネス。
【発明の詳細な説明】
【技術分野】
【０００１】
本発明は、電線と電線に巻かれた保護シートとを備えるワイヤハーネスに関する。
【背景技術】
【０００２】
自動車などの車両に搭載されるワイヤハーネスは、電線束に巻かれた保護シートを備える場合がある。なお、保護シートは外装シートと称される場合もある。
【０００３】
特許文献１が示すように、保護シート（外装シート）は、その表面に形成された粘着層によって電線に巻き付いた状態に保持される場合がある。さらに、保護シートは、保護シート及び電線に巻き付けられた粘着テープによって電線における予め定められた位置に固定されることが多い。
【先行技術文献】
【特許文献】
【０００４】
【特許文献１】特開２００６−３２７６５６号公報
【発明の概要】
【発明が解決しようとする課題】
【０００５】
ところで、車両用のワイヤハーネスは、ある車種全般に共通の電線と選択的に追加され得る電線とを含む場合がある。以下、前者を標準電線と称し、後者を追加電線と称する。例えば、標準電線は、ある車種全般に共通の標準部品用の電線であり、追加電線は、顧客の指定によって追加される可能性があるオプション部品用の電線などである。
【０００６】
車両用のワイヤハーネスにおける追加電線の要否は、車両の製造販売の流れにおける比較的下流側の段階で決定される。
【０００７】
従って、保護シートの巻き付けの対象となる電線が追加電線を含む可能性がある場合、保護シートを電線に取り付ける工程を、保護シートを標準電線に取り付ける前工程と、必要に応じて追加電線を保護シート内に追加する後工程とに分けることが、リードタイム短縮のために有効である。
【０００８】
また、上記の前工程と後工程とが、作業単価の低い地域と車両の組み立て地域もしくは販売地域に近い地域との各々で行われれば、ワイヤハーネスのコスト低減にもつながる。
【０００９】
しかしながら、特許文献１には、１枚の保護シートを電線に取り付ける工程を、標準電線に保護シートを取り付ける前工程と、必要に応じて追加電線を保護シート内に追加する後工程とに分けることに適したワイヤハーネスについて示されていない。
【００１０】
本発明は、１枚の保護シートを電線に取り付ける工程を、標準電線に保護シートを取り付ける前工程と、必要に応じて追加電線を保護シート内に追加する後工程とに分けることに適したワイヤハーネスを提供することを目的とする。
【課題を解決するための手段】
【００１１】
第１態様に係るワイヤハーネスは、電線と、その電線に巻かれた保護シートと、その保護シート上に形成された粘着層と、上記電線及び上記保護シートに巻き付けられて上記保護シートを上記電線に留める粘着テープとを備えている。さらに、第１態様に係るワイヤハーネスにおいて、上記保護シート、上記粘着テープ及び上記粘着層は、それぞれ以下に示される構成を有している。即ち、上記保護シートには、第一領域と第二領域との境界位置における少なくとも上記電線の長手方向の一端から切れ込みが形成されている。上記第一領域は、上記電線の束の外周面に沿う筒状に巻かれた筒状部を含む領域である。上記第二領域は、上記第一領域に連なった残りの領域であり、上記筒状部の外周面側に重なっている。上記粘着テープは、上記保護シートの上記切れ込み内を通り、上記保護シートにおける上記第二領域の内側において上記第一領域及び上記電線の束に巻き付けられている。上記粘着層は、少なくとも上記保護シートの上記第二領域における上記電線の長手方向に沿う縁部と該縁部の内側に重なった部分とを接着している。
【００１２】
第２態様に係るワイヤハーネスは、第１態様に係るワイヤハーネスの一態様である。第２態様に係るワイヤハーネスにおいて、上記電線は、第一電線と第二電線とを含む。上記第一電線は、上記保護シートにおける上記筒状部内を貫通する電線である。上記第二電線は、上記保護シートにおける上記筒状部と上記第二領域との間を貫通する電線である。
【００１３】
第３態様に係るワイヤハーネスは、第１態様又は第２態様に係るワイヤハーネスの一態様である。第３態様に係るワイヤハーネスにおいて、上記保護シートは、上記筒状部と外側重ね部とを有する。第３態様において、上記筒状部は、それぞれ上記電線の長手方向に沿う第一縁部及びその反対側の第二縁部の間の一部を成す中間領域であり、上記電線の束の外周面に沿う筒状に巻かれている。上記外側重ね部は、上記中間領域に連なる残りの部分であり、上記筒状部の外周面側に重なっている。上記外側重ね部は、上記中間領域よりも上記第一縁部側の第一片側領域全体と上記中間領域よりも上記第二縁部側の第二片側領域における少なくとも一部の領域とが重なった部分である二重部を含む。さらに、上記外側重ね部には、少なくとも上記電線の長手方向の一端から上記切れ込みが形成されている。上記粘着テープは、上記保護シートの上記切れ込み内を通り、上記保護シートにおける上記筒状部から上記外側重ね部の一部に亘る部分及び上記電線の束に巻き付けられている。
【００１４】
第４態様に係るワイヤハーネスは、第３態様に係るワイヤハーネスの一態様である。第４態様に係るワイヤハーネスにおいて、上記粘着層は、第一粘着層と第二粘着層とを含む。上記第一粘着層は、上記保護シートの上記二重部における上記第一縁部と上記第一縁部に重なった部分とを接着している。上記第二粘着層は、上記保護シートにおける上記第二縁部と上記第二縁部の内側に重なった部分とを接着している。
【００１５】
第５態様に係るワイヤハーネスは、第３態様又は第４態様に係るワイヤハーネスの一態様である。第５態様に係るワイヤハーネスにおいて、上記保護シートの上記二重部は、上記第一片側領域全体と上記第二片側領域における上記中間領域側の一部の領域とが重なった部分である。さらに、上記保護シートの上記切れ込みは、上記二重部よりも上記第二縁部側の領域に上記二重部に沿って形成されている。
【発明の効果】
【００１６】
上記の各態様によれば、保護シートは、まず、切れ込みで区分される一部の領域（第一領域）が電線の束の外周面に沿う筒状に巻かれ、さらに、粘着テープが切れ込み内を通って巻き付けられることによって電線の束に留められる。電線の束の外周面に沿う筒状の部分が筒状部である。
【００１７】
その後、保護シートにおける切れ込みで区分された残りの領域（第二領域）が、筒状部の外周面側に重ねられる。
【００１８】
従って、保護シートが筒状部を貫通する電線（第一電線）に留められた後に、他の電線（第二電線）を、筒状部と第二領域との間に挟み込むことができる。さらに、粘着層が、保護シートを、筒状部と第二領域との間に電線（第二電線）を挟み込む状態に維持することができる。この場合、筒状部内を貫通する第一電線と筒状部及び第二領域の間を貫通する第二電線とが、１枚の保護シートによって保護される。
【００１９】
なお、第二電線が追加された場合、保護シートの第二領域が、再度の粘着テープの巻き付けによって追加された電線を挟み込む状態に保持されればよい。一方、第二電線の追加が必要ない場合、保護シートの第二領域が、筒状部の外周面に沿って重ねられた状態で、粘着層によって筒状部に接着されればよい。
【００２０】
従って、上記の各態様によれば、１枚の保護シートを電線に取り付ける工程を、筒状部を貫通する第一電線に保護シートの一部を粘着テープで電線束に留める前工程と、必要に応じて第二電線を保護シートの筒状部（第一領域）と第二領域との間に追加する後工程とに分けることができる。
【００２１】
第２態様は、第二電線が筒状部（第一領域）と第二領域との間に追加された場合の例である。
【００２２】
第３態様によれば、保護シートの筒状部は、保護シートの中間領域が電線を取り囲む状態に折り返されことによって形成される。この場合、保護シートがその縁部から順に電線の束に巻き付けられる場合よりも、容易に筒状部を形成することが可能である。
【００２３】
第４態様において、第一粘着層は、保護シートにおける筒状部を含む一部を、第一電線の束を取り囲む状態に維持し、これにより、保護シートが電線に仮留めされる。そのため、粘着テープを保護シートの筒状部及び第一電線の束に巻き付ける作業が容易となる。
【００２４】
一方、第二粘着層は、前述したように、保護シートの第二領域を、筒状部（第一領域）との間に第二電線を挟み込んだ状態に維持することができる。そのため、保護シートの第二領域を、再度の粘着テープの巻き付け作業が容易となる。また、第二電線の追加が不要である場合、第二粘着層が保護シートの第二領域を筒状部の外周面に沿う状態に維持する。この場合、再度の粘着テープの巻き付けが行われる場合よりも、保護シートの第二領域の固定が容易となる。
【００２５】
ところで、保護シートの切れ込みが二重部に形成される場合、第一片側領域及び第二片側領域の各々に形成された２つの切れ込みが重なる状態で、保護シートの第一領域を電線の束に巻くことが必要である。しかしながら、２箇所の切れ込みの位置を合わせながら保護シートを電線の束に巻く作業は手間である。
【００２６】
一方、第５態様の保護シートにおいて、切れ込みは、二重部よりも第二縁部側の一重の部分に形成されている。この場合、複数の切れ込みの位置合わせが不要であるため、保護シートを電線の束に巻く作業が容易となる。
【図面の簡単な説明】
【００２７】
【図１】第１実施形態に係るワイヤハーネス１の斜視図である。
【図２】ワイヤハーネス１の断面図である。
【図３】ワイヤハーネスが備える保護シートの平面図である。
【図４】保護シート取り付け工程の一次工程におけるシート仮留め工程を示す図である。
【図５】保護シート取り付け工程の一次工程におけるシート巻き付け工程を示す図である。
【図６】保護シート取り付け工程の一次工程により得られたワイヤハーネスを示す図である。
【図７】保護シート取り付け工程の二次工程を示す図である。
【図８】第２実施形態に係るワイヤハーネス１Ｘの断面図である。
【図９】第１応用例に係る保護シートの平面図である。
【図１０】第１応用例に係る保護シートを電線に取り付ける工程を示す図である。
【図１１】第２応用例に係る保護シートの平面図である。
【図１２】第２応用例に係る保護シートを電線に取り付ける工程を示す図である。
【発明を実施するための形態】
【００２８】
以下、添付の図面を参照しながら、実施形態について説明する。以下の実施形態は、本発明を具体化した一例であり、本発明の技術的範囲を限定する事例ではない。
【００２９】
＜第１実施形態＞
まず、図１〜３を参照しつつ、第１実施形態に係るワイヤハーネス１の構成について説明する。なお、図２は、図１に示されるＩＩ−ＩＩ平面における断面図である。
【００３０】
ワイヤハーネス１は、電線２と、その電線２に巻かれた保護シート３と、保護シート３を電線２に留める粘着テープ５とを備えている。保護シート３上には、２つの帯状の粘着層４が形成されている。粘着層４は、膜状に形成された粘着剤である。
【００３１】
＜電線＞
電線２は、金属の芯線と芯線の周囲を覆う絶縁被覆とを有する絶縁電線である。ワイヤハーネス１は、複数の電線２を含む電線束を有している。本実施形態においては、電線束は、保護シート３によって２つのグループに仕切られている。以下の説明において、一方のグループの電線２のことを第一電線２１と称し、他方のグループの電線２のことを第二電線２２と称する。
【００３２】
＜保護シート＞
保護シート３は、電線２に巻かれて電線２を保護するシート材である。図３（ａ）は保護シート３の第一具体例を示し、図３（ｂ）は保護シート３の第二具体例を示す。例えば、図３（ａ）又は図３（ｂ）のいずれかに示された保護シート３が、ワイヤハーネス１に適用可能である。
【００３３】
図３（ａ）が示す第一具体例と図３（ｂ）が示す第二具体例とは、第一電線２１の束に巻かれる前の状態において、２つの粘着層４のうちの一方である第一粘着層４１が形成されている位置のみが異なる。その相違点については後述する。
【００３４】
以下の説明において、電線２に取り付けられた保護シート３における電線２の長手方向に沿う２箇所の縁部のことをそれぞれ第一縁部３０１及び第二縁部３０２と称する。
【００３５】
図３が示すように、保護シート３は矩形状である。保護シート３が電線２に取り付けられた状態において、保護シート３における四方の縁部のうちの第一縁部３０１及び第二縁部３０２は、電線２の長手方向に沿う縁部であり、残りの２つの縁部は、電線２の長手方向における両端部を成し、電線２の外周方向に沿う縁部である。
【００３６】
保護シート３は、電線２に取り付けられた状態において、筒状部３１と外側重ね部３２とを有する。なお、図３において、筒状部３１及び外側重ね部３２は、保護シート３が電線２に取り付けられたときに筒状部３１及び外側重ね部３２となる予定の部分を表す。その他の部分も同様である。
【００３７】
図１，２が示すように、筒状部３１は、第一縁部３０１及びその反対側の第二縁部３０２の間の一部を成す中間領域であり、第一電線２１の束の外周面に沿う筒状に巻かれた部分である。従って、第一電線２１の束は、筒状部３１内を貫通している。
【００３８】
外側重ね部３２は、保護シート３における筒状部３１を成す中間領域に連なる残りの部分である。ワイヤハーネス１において、外側重ね部３２は、筒状部３１の外周面側に重なっている。
【００３９】
外側重ね部３２は、筒状部３１を成す中間領域よりも第一縁部３０１側の第一片側領域３３全体と上記中間領域よりも第二縁部３０２側の第二片側領域３４における少なくとも一部の領域とが重なった部分である二重部３３０を含む。
【００４０】
本実施形態における外側重ね部３２は、第一片側領域３３全体と第二片側領域３４の一部の領域３５とが重なった部分である二重部３３０と、第二片側領域３４の残りの領域である一重部３６とを含む。
【００４１】
また、保護シート３には切れ込み３００が形成されている。図３が示す例では、切れ込み３００は、保護シート３における電線２の長手方向の一端から形成されている。切れ込み３００が、保護シート３における電線２の長手方向の両端各々から形成されていることも考えられる。
【００４２】
切れ込み３００は、保護シート３における第一領域３００１と第一領域３００１に連なった残りの第二領域３００２との境界位置に形成されている。保護シート３において、第一領域３００１は筒状部３１を含む領域である。
【００４３】
本実施形態の保護シート３において、第一領域３００１は、筒状部３１と外側重ね部３２の一部である二重部３３０とを含む領域である。この場合、切れ込み３００は、保護シート３における筒状部３１から二重部３３０に至る部分と一重部３６との境界位置に形成されている。
【００４４】
第二電線２２の一部は、保護シート３における筒状部３１と外側重ね部３２との間に挟み込まれている。即ち、第二電線２２は、筒状部３１と外側重ね部３２との間を貫通している。
【００４５】
また、保護シート３上に形成された２つの粘着層４のうちの一方は、保護シート３の二重部３３０における第一縁部３０１と第一縁部３０１に重なった部分とを接着している第一粘着層４１である。２つの粘着層４のうちの他方は、保護シート３における第二縁部３０２の表面に形成された第二粘着層４２である。
【００４６】
以下の説明において、保護シート３における第一縁部３０１と重なる部分のことを対向帯状部３０３と称する。図３が示す例では、対向帯状部３０３は、第二片側領域３４における第二縁部３０２から間隔を隔てた位置における第二縁部３０２に平行な帯状の領域である。
【００４７】
保護シート３における第一縁部３０１と対向帯状部３０３との間の領域の幅は、第一電線２１の束の周長よりも大きい。なお、第一縁部３０１及び対向帯状部３０３は二重部３３０の一部である。
【００４８】
本実施形態における第二粘着層４２は、保護シート３における第二縁部３０２と第二縁部３０２の内側に重なった部分とを接着している。
【００４９】
図３が示すように、電線２に取り付けられる前の保護シート３において、２つの粘着層４は離型紙４０で覆われている。保護シート３が電線２に取り付けられる際に、離型紙４０が粘着層４から剥がされる。
【００５０】
図３（ａ）が示す第一具体例において、電線２に取り付けられる前の保護シート３の第一粘着層４１は、対向帯状部３０３の表面に形成されている。この場合、第一粘着層４１は、第一縁部３０１の貼り合わせ先である対向帯状部３０３の目印となる。
【００５１】
一方、図３（ｂ）が示す第二具体例において、電線２に取り付けられる前の保護シート３の第一粘着層４１は、第一縁部３０１の表面に形成されている。この場合、切れ込み３００が、第一縁部３０１の貼り合わせ先である対向帯状部３０３の位置の目印となる。
【００５２】
また、第一具体例及び第二具体例のいずれにおいても、第二粘着層４２は保護シート３における第二縁部３０２の表面に形成されている。また、第一粘着層４１及び第二粘着層４２は、保護シート３の両主面のうちの一方に、即ち、同じ主面に形成されている。
【００５３】
＜粘着テープ＞
粘着テープ５は、テープ状の基材と、その基材の表面に膜状に形成された粘着剤とを有する。
【００５４】
粘着テープ５は、保護シート３の外側重ね部３２及び電線２の束に巻き付けられている。より具体的には、粘着テープ５は、保護シート３と電線２の束における保護シート３の端からはみ出た部分とに亘る範囲において、少なくとも第二領域３００２の内側で保護シート３の切れ込み３００内を通る状態で保護シート３の第一領域３００１及び第一電線２１の束に対して螺旋状に巻き付けられている。
【００５５】
なお、前述したように、本実施形態の保護シート３において、第一領域３００１は筒状部３１及び二重部３３０であり、第二領域３００２は一重部３６である。
【００５６】
本実施形態では、粘着テープ５は、第二領域３００２の内側に巻き付けられた第一粘着テープ５１と第二領域３００２の外側に巻き付けられた第二粘着テープ５２とを含む。
【００５７】
第一粘着テープ５１は、保護シート３における第二領域３００２の内側で切れ込み３００内を通る状態で、保護シート３の第一領域３００１及び第一電線２１の束に対して螺旋状に巻き付けられている。一方、第二粘着テープ５２は、保護シート３における第二領域３００２（一重部３６）の外側で、保護シート３の第二領域３００２に対して巻き付けられている。
【００５８】
即ち、第一粘着テープ５１は、第一電線２１の束に対して第二電線２２が追加される前に巻き付けられた粘着テープであり、第二粘着テープ５２は、第二電線２２が追加された後に巻き付けられた粘着テープである。
【００５９】
第一粘着テープ５１は、保護シート３を電線２における予め定められた位置に留めている。また、第二粘着テープ５２は、保護シート３の第二領域３００２（一重部３６）を第二電線２２の外周を覆う状態からめくれ上がらないように保持している。
【００６０】
なお、図１が示す例では、第二粘着テープ５２は、保護シート３の第二領域３００２及び第二電線２２を含む電線２の束に対して巻き付けられている。しかしながら、第二粘着テープ５２は、少なくとも保護シート３に対して第二領域３００２（一重部３６）の外側から巻き付けられていればよい。
【００６１】
＜保護シートの取り付け手順＞
次に、図４〜７を参照しつつ、保護シート３を電線２の束に取り付ける手順について説明する。保護シート取り付け工程は、主として一次工程と二次工程とに区分される。
【００６２】
図４は、一次工程の一部であるシート仮留め工程を表す図である。図５は、一次工程の一部であるシート巻き付け工程を表す図である。図６は、一次工程により得られたワイヤハーネスを示す図である。図７は、二次工程の一部である第二電線追加工程を表す図である。
【００６３】
＜一次工程＞
一次工程のシート仮留め工程においては、保護シート３が第一電線２１の束に仮留めされる。一次工程において、保護シート３は、まず、第一縁部３０１と第二縁部３０２との間の中間領域において第一電線２１の束を取り囲む状態に折り返される。
【００６４】
さらに、保護シート３の第一縁部３０１と第二片側領域３４の一部である対向帯状部３０３とが第一粘着層４１によって接着される。これにより、図５が示すように、保護シート３における第一縁部３０１から対向帯状部３０３までの領域は、第一電線２１の束の周囲を取り囲む状態となる。また、第一粘着層４１が、保護シート３における第一縁部３０１から対向帯状部３０３までの領域を、第一電線２１の束を取り囲む状態に維持し、保護シート３が第一電線２１の束に留まる。
【００６５】
なお、第一縁部３０１が第一粘着層４１によって対向帯状部３０３に接着される前に、第一粘着層４１の離型紙４０が剥がされることは言うまでもない。
【００６６】
さに、一次工程のシート巻き付け工程において、保護シート３の第一領域３００１における第一電線２１の束を取り囲む部分の一部が、第一電線２１の束の外周面に沿う筒状に絞られるとともに、保護シート３の第一領域３００１における残りの部分が、筒状の部分の外周面側に重ねられる。第一電線２１の束の外周面に沿う筒状に絞られた部分が筒状部３１であり、その筒状部３１の外側に重ねられた部分が外側重ね部３２の一部を成す二重部３３０である。
【００６７】
さらに図６が示すように、第一粘着テープ５１が、保護シート３における第二領域３００２の内側で切れ込み３００内を通る状態で、保護シート３の第一領域３００１及び第一電線２１の束に対して螺旋状に巻き付けられる。その際、第一粘着テープ５１は、保護シート３の第一領域３００１と第一電線２１の束における保護シート３の端からはみ出た部分とに亘る範囲において巻き付けられる。
【００６８】
なお、前述したように、本実施形態の保護シート３において、第一領域３００１は筒状部３１及び二重部３３０であり、第二領域３００２は一重部３６である。
【００６９】
一次工程が終了すると、図６が示すように、保護シート３は、その第一領域３００１が第一電線２１の束に巻かれた状態で、第一粘着テープ５１によって第一電線２１の束に固定された状態となる。これにより、保護シート３が取り付けられた第一電線２１の束を次の場所へ移送することが可能となる。
【００７０】
また、一次工程が終了した段階において、保護シート３の第二領域３００２（一重部３６）は、第一領域３００１の筒状部３１からめくり上げることが可能な状態である。
【００７１】
＜二次工程＞
二次工程においては、保護シート３の第二領域３００２（一重部３６）が筒状の部分の外周面側に重ねられた状態で、保護シート３の第二縁部３０２が、その内側に重なる部分に対して第二粘着層４２によって接着される。
【００７２】
本実施形態においては、１本もしくは複数本の第二電線２２が追加された上で、二次工程が行われる。より具体的には、保護シート３の第二領域３００２は、筒状部３１との間に第二電線２２の中間部を挟み込む状態で筒状部３１の外側に重ねられる。
【００７３】
さらに、保護シート３の第二縁部３０２が、第二粘着層４２によって筒状部３１の外周面又は外側重ね部３２の外側面に接着される。
【００７４】
本実施形態では、第二粘着層４２は、第一粘着テープ５１が巻かれていない領域において、保護シート３の第二縁部３０２をその内側に重なる筒状部３１の外周面に接着する。また、第二粘着層４２は、第一粘着テープ５１が巻かれている領域において、保護シート３の第二縁部３０２をその内側に重なる筒状部３１の外周面に巻かれた第一粘着テープ５１に接着する。
【００７５】
第二粘着層４２は、保護シート３を、第一領域３００１の筒状部３１と第二領域３００２（一重部３６）との間に第二電線２２を挟み込む状態に維持する。これにより、筒状部３１内を貫通する第一電線２１の束と筒状部３１及び第二領域３００２の間を貫通する第二電線２２とが、１枚の保護シート３によって保護される。
【００７６】
なお、第二縁部３０２が第二粘着層４２によって保護シート３の他の部分に接着される前に、第二粘着層４２の離型紙４０が剥がされることは言うまでもない。
【００７７】
二次工程では、最後に、第二粘着テープ５２が保護シート３に対して第二領域３００２（一重部３６）の外側から巻き付けられる。これにより、保護シート３の第二領域３００２（一重部３６）が第二電線２２の外周を覆う状態に保持され、図１に示されるワイヤハーネス１が完成する。
【００７８】
＜第２実施形態＞
次に、図８を参照しつつ第２実施形態に係るワイヤハーネス１Ｘについて説明する。図８はワイヤハーネス１Ｘの断面図である。図８において、図１〜７に示される構成要素と同じ構成要素は、同じ参照符号が付されている。
【００７９】
ワイヤハーネス１Ｘは、ワイヤハーネス１の構成から第二電線２２及び第二粘着テープ５２が除かれた構成を有している。以下、ワイヤハーネス１Ｘにおけるワイヤハーネス１と異なる点について説明する。
【００８０】
図８が示すように、ワイヤハーネス１と同様に、ワイヤハーネス１Ｘも、第一電線２１の束と保護シート３とを備えている。ワイヤハーネス１Ｘの粘着テープ５（第一粘着テープ５１）は、ワイヤハーネス１の第一粘着テープ５１と同様に、保護シート３の切れ込み３００を通る状態で保護シート３の第一領域３００１を第一電線２１の束に固定している。
【００８１】
さらに、保護シート３上には第一縁部３０１を対向帯状部３０３に接着する第一粘着層４１と、第二縁部３０２上の第二粘着層４２とが形成されている。
【００８２】
前述したように、ワイヤハーネス１Ｘは第二電線２２を備えていない。そのため、保護シート３の第二領域３００２は、筒状部３１の外周面に沿う状態で筒状部３１に重ねられている。
【００８３】
ワイヤハーネス１Ｘを製造するための保護シート取り付け工程において、一次工程は、ワイヤハーネス１の製造のための一次工程と同じである（図４〜６参照）。
【００８４】
ワイヤハーネス１Ｘを製造するための保護シート取り付け工程において、二次工程は、第二電線２２を追加することなく行われる。当該二次工程において、保護シート３の第二領域３００２が第一電線２１の束の外周面に沿う筒状部３１の外周面に重ねられた状態で、保護シート３の第二縁部３０２が、第二粘着層４２によって筒状部３１の外周面又は外側重ね部３２の外側面に接着される。
【００８５】
第二電線２２が追加されない場合、二次工程において、第二粘着テープ５２の巻き付けが省略されてもよい。図８が示す例は、第二粘着テープ５２の巻き付けが省略された場合の例である。なお、第二電線２２が追加されない場合においても、第二粘着テープ５２の巻き付けが行われてもよい。
【００８６】
＜効果＞
ワイヤハーネス１，１Ｘが採用されれば、保護シート３は、まず、切れ込み３００で区分される一部の第一領域３００１が第一電線２１の束の外周面に沿う筒状に巻かれ、さらに、第一粘着テープ５１が保護シート３の切れ込み３００内を通って巻き付けられることによって第一電線２１の束に留められる。第一電線２１の束の外周面に沿う筒状の部分が筒状部３１である。
【００８７】
その後、保護シート３における切れ込み３００で区分された残りの第二領域３００２が、筒状部３１の外周面側に重ねられる。
【００８８】
従って、保護シート３が筒状部３１を貫通する第一電線２１の束に留められた後に、他の第二電線２２を、筒状部３１と第二領域３００２との間に挟み込むことができる。さらに、第二粘着層４２が、保護シート３を、筒状部３１と第二領域３００２との間に第二電線２２を挟み込む状態に維持することができる。この場合、筒状部３１内を貫通する第一電線２１の束と筒状部３１及び第二領域３００２の間を貫通する第二電線２２とが、１枚の保護シートによって保護される。
【００８９】
第二電線２２が追加された場合、保護シート３の第二領域３００２が、第二粘着テープ５２の巻き付けによって第二電線２２を挟み込む状態に保持されればよい。一方、第二電線２２の追加が必要ない場合、保護シート３の第二領域３００２が、筒状部３１の外周面に沿って重ねられた状態で、第二粘着層４２によって筒状部３１に接着されればよい。
【００９０】
従って、ワイヤハーネス１，１Ｘが採用されれば、１枚の保護シート３を電線２に取り付ける工程を、筒状部３１を貫通する第一電線２１に保護シート３の一部を第一粘着テープ５１で第一電線２１の束に留める前工程（一次工程）と、必要に応じて第二電線２２を保護シート３の筒状部３１（第一領域３００１）と第二領域３００２との間に追加する後工程（二次工程）とに分けることができる。
【００９１】
また、ワイヤハーネス１，１Ｘにおいて、保護シート３の筒状部３１は、保護シート３の中間領域が第一電線２１の束を取り囲む状態に折り返されことによって形成される。この場合、保護シート３が第一縁部３０１から順に第一電線２１の束に巻き付けられる場合よりも、容易に筒状部３１を形成することが可能である。
【００９２】
また、ワイヤハーネス１，１Ｘにおいて、第一粘着層４１は、保護シート３における筒状部３１を含む一部を、第一電線２１の束を取り囲む状態に維持し、これにより、保護シート３が電線に仮留めされる。そのため、第一粘着テープ５１を保護シート３の筒状部３１及び第一電線２１の束に巻き付ける作業が容易となる。
【００９３】
一方、第二粘着層４２は、前述したように、保護シート３の第二領域３００２を、筒状部３１（第一領域３００１）との間に第二電線２２を挟み込んだ状態に維持することができる。そのため、保護シート３の第二領域３００２を、第二粘着テープ５２の巻き付け作業が容易となる。また、第二電線２２の追加が不要である場合、第二粘着層４２が保護シート３の第二領域３００２を筒状部３１の外周面に沿う状態に維持する。この場合、第二粘着テープ５２の巻き付けが行われる場合よりも、保護シート３の第二領域３００２の固定が容易となる。
【００９４】
＜第１応用例＞
次に、図９，１０を参照しつつ、ワイヤハーネス１，１Ｘに適用可能な第１応用例に係る保護シート３Ａついて説明する。図９は保護シート３Ａの平面図である。図９は保護シート３Ａを電線２に取り付ける工程を示す図である。図９，１０において、図１〜８に示される構成要素と同じ構成要素は、同じ参照符号が付されている。なお、図９（ａ）は保護シート３Ａの第一具体例を示し、図９（ｂ）は保護シート３Ａの第二具体例を示す。
【００９５】
保護シート３Ａは、図１〜８に示される保護シート３と比較して、第一縁部３０１の接着先である対向帯状部３０３の位置と、切れ込み３００の位置とが異なる。
【００９６】
図３に示される保護シート３において、対向帯状部３０３は、第二片側領域３４における第二縁部３０２から間隔を隔てた位置における第二縁部３０２に平行な帯状の領域である。
【００９７】
一方、保護シート３Ａにおいて、対向帯状部３０３は、第二縁部３０２に隣接する帯状の領域である。従って、保護シート３Ａにおいて、一重部３６全体が第二縁部３０２である。
【００９８】
例えば、図９（ａ）又は図９（ｂ）のいずれかに示された保護シート３Ａが、ワイヤハーネス１，１Ｘに適用可能である。図９（ａ）が示す保護シート３Ａにおいて、第一粘着層４１は第一縁部３０１に形成されている。一方、図９（ｂ）が示す保護シート３Ａにおいて、第一粘着層４１は第二縁部３０２に沿う対向帯状部３０３に形成されている。
【００９９】
また、保護シート３Ａにおいて、切れ込み３００は、二重部３３０となる部分、即ち、保護シート３Ａにおける第一片側領域３３と第二片側領域３４の一部の領域３５との各々に形成されている。保護シート３Ａにおいて、第一領域３００１は２つの切れ込み３００の間の領域であり、第二領域３００２は残りの領域である。そして、保護シート３Ａは、２つの切れ込み３００が重なる状態で電線２の束に巻き付けられる。
【０１００】
図１０が示すように、保護シート取り付け工程の一次工程において、保護シート３Ａの第一縁部３０１は、第二縁部３０２に隣接する帯状の部分（対向帯状部３０３）に第二縁部３０２に沿って接着される。
【０１０１】
図３に示される保護シート３は、第一応用例に係る保護シート３Ａに比べ、二重部３３０の幅を小さくできる分だけ小さな面積で形成されている。従って、保護シート３が採用されれば、シート材料費の低減効果が得られる。
【０１０２】
一方、保護シート３Ａが採用されれば、一次工程において保護シート３Ａの第一縁部３０１が対向帯状部３０３に重ねられる際に、第二縁部３０２の第二粘着層４２及び離型紙４０が、第一縁部３０１の位置合わせの目印となる。そのため、保護シート３Ａの第一縁部３０１を対向帯状部３０３に重ねる作業が容易となる。
【０１０３】
＜第２応用例＞
次に、図１１，１２を参照しつつ、ワイヤハーネス１，１Ｘに適用可能な第２応用例に係る保護シート３Ｂついて説明する。図１１は保護シート３Ｂの平面図である。図１２は保護シート３Ｂを電線２に取り付ける工程を示す図である。
【０１０４】
保護シート３Ｂは、図３に示される保護シート３と比較して、第一縁部３０１の接着先である対向帯状部３０３の位置及び切れ込み３００の位置が異なる。
【０１０５】
保護シート３Ｂの対向帯状部３０３は、第二片側領域３４における第二縁部３０２と一致している。従って、保護シート３Ｂにおいて、第一片側領域３３全体と第二片側領域３４全体とが重なっており、それらが二重部３３０を成している。
【０１０６】
保護シート３Ｂにおいて、第一粘着層４１は、第一主面における第一縁部３０１に形成されている。一方、第二粘着層４２は、保護シート３Ｂの第二主面における第二縁部３０２に形成されている。なお、保護シート３Ｂにおいて、第一粘着層４１が、第一主面における第二縁部３０２に形成されていてもよい。
【０１０７】
また、保護シート３Ｂにおいて、切れ込み３００は二重部３３０となる部分の２箇所に形成されている。保護シート３Ｂにおいて、第一領域３００１は２つの切れ込み３００の間の領域であり、第二領域３００２は残りの領域である。そして、保護シート３Ｂは、２つの切れ込み３００が重なる状態で電線２の束に巻き付けられる。
【０１０８】
図１２が示すように、保護シート３Ｂを取り付ける工程の一次工程において、保護シート３Ｂの第一縁部３０１は、第二縁部３０２おける第二粘着層４２が形成された面の反対側の面に接着される。
【０１０９】
保護シート３Ｂが採用されれば、保護シート３Ａが採用される場合と同様に、第一縁部３０１を目的の位置である対向帯状部３０３（第二縁部３０２）に重ねる作業が容易となる。
【０１１０】
ところで、第一応用例及び第二応用例に示されるように、保護シート３Ａ，３Ｂの切れ込み３００が二重部３３０に形成される場合、２つの切れ込み３００が重なる状態で、保護シート３Ａ，３Ｂの第一領域３００１を第一電線２１の束に巻くことが必要である。しかしながら、２箇所の切れ込み３００の位置を合わせながら保護シート３Ａ，３Ｂを第一電線２１の束に巻く作業は手間である。
【０１１１】
一方、図１〜８に示されたワイヤハーネス１，１Ｘの保護シート３において、切れ込み３００は、二重部３３０よりも第二縁部３０２側の一重部３６に形成されている。この場合、複数の切れ込み３００の位置合わせが不要であるため、保護シート３を第一電線２１の束に巻く作業が容易となる。
【０１１２】
＜その他の応用例＞
保護シート３において、切れ込み３００は、電線２の長手方向における一方の端部にのみ形成されている。そのため、ワイヤハーネス１，１Ｘにおいて、第一粘着テープ５１は、電線２に巻かれた保護シート３における一方の端部及びその端部からはみ出た電線２の束に巻き付けられている。
【０１１３】
しかしながら、切れ込み３００が、保護シート３，３Ａ，３Ｂにおける電線２の長手方向の両端部に形成されていることも考えられる。この場合、第一粘着テープ５１が、電線２に巻かれた保護シート３，３Ａ，３Ｂにおける両端部各々において、保護シート３，３Ａ，３Ｂの端部及びその端部からはみ出た電線２の束に巻き付けられる。
【０１１４】
なお、本発明に係るワイヤハーネスは、各請求項に記載された発明の範囲において、以上に示された各実施形態及び応用例を自由に組み合わせること、或いは各実施形態及び応用例を適宜、変形する又は一部を省略することによって構成されることも可能である。
【符号の説明】
【０１１５】
１，１Ｘ  ワイヤハーネス
２  電線
２１  第一電線
２２  第二電線
３，３Ａ，３Ｂ  保護シート
３００  切れ込み
３００１  保護シートの第一領域
３００２  保護シートの第二領域
３０１  保護シートの第一縁部
３０２  保護シートの第二縁部
３０３  保護シートの対向帯状部
３１  保護シートの筒状部
３２  保護シートの外側重ね部
３３  保護シートの第一片側領域
３３０  保護シートの二重部
３４  保護シートの第二片側領域
３５  第二片側領域の一部の領域
３６  保護シートの一重部
４  粘着層
４０  離型紙
４１  第一粘着層
４２  第二粘着層
５  粘着テープ
５１  第一粘着テープ
５２  第二粘着テープ
【図１】
0005979113.tif 000002
【図２】
0005979113.tif 000003
【図３】
0005979113.tif 000004
【図４】
0005979113.tif 000005
【図５】
0005979113.tif 000006
【図６】
0005979113.tif 000007
【図７】
0005979113.tif 000008
【図８】
0005979113.tif 000009
【図９】
0005979113.tif 000010
【図１０】
0005979113.tif 000011
【図１１】
0005979113.tif 000012
【図１２】
0005979113.tif 000013